(57)【要約】【課題】  収容した便を先に排出してシートを便と分別し、焼却等の処分を容易にする。【解決手段】  便Ｂを収容する袋部２２の両側外面に切れ目２２ｂを備えた縁部２２ａを形成する。処置後は、切れ目１２ｂを挟んだ縁部１２ａの両側を互いに逆方向へ引張して切れ目１２ｂで袋部１２の一部を破断して開封し、収容した便Ｂを押し出して破断箇所から便器等へ排出し、シート１１を焼却等により処分する。このように、排便器具１０は便Ｂと分別して処分するようにしたから、焼却等が低コストで容易に行える。【選択図】図２
2006158576.tif 000002
【特許請求の範囲】
【請求項１】
肛門及びその周囲を覆う面積の防水性のシートの肌面側の肛門周囲位置に肛門を囲むように配置される吸収パッドを取り付け、同吸収パッドを肌面に密接させる剥離紙付きの粘着層を設け、吸収パッドで囲まれるシート部分を肌面側と反対側へ大きく膨出させて便を収容する可撓性の袋部を形成し、指を袋部の外側からシートを介して直腸へ挿入して便を掻き出して袋部に収容するようにした排便器具であって、前記袋部にその一部を開口する開封手段を設け、同開封手段で開封した袋部の開口から袋部に収容した便を外部へ排出できるようにしたことを特徴とする排便器具。
【請求項２】
袋部の中央部に指を挿入する凹所を形成し、指を挿入し易くした請求項１記載の排便器具。
【請求項３】
肛門及びその周囲を覆う面積の防水性のシートの肌面側の肛門周囲位置に肛門を囲むように配置される吸収パッドを取り付け、同吸収パッドを肌面に密接させる剥離紙付きの粘着層を設け、吸収パッドで囲まれるシート部分を肌面側と反対側へ大きく膨出させて便を収容する可撓性の袋部を形成し、同袋部の中央部に直腸へ挿入して便を掻き出す掻出具を貫通させ、同貫通させた掻出具を袋部のシートと固着して袋部の余裕部分で掻出具を進退できるようにし、同掻出具の進退で掻き出された便を袋部に収容するようにした排便器具であって、前記袋部にその一部を開口する開封手段を設け、同開封手段で開封した袋部の開口から袋部に収容した便を外部へ排出できるようにしたことを特徴とする排便器具。
【請求項４】
肛門及びその周囲を覆う面積の防水性のシートの肌面側の肛門周囲位置に肛門を囲むように配置される吸収パッドを取り付け、同吸収パッドを肌面に密接させる剥離紙付きの粘着層を設け、吸収パッドに囲まれるシート部分を肌面側と反対側へ大きく膨出させて便を収容する可撓性の袋部を形成し、同袋部の中央部に直腸へ挿入して便を掻き出す掻出具を貫通させ、同貫通させた掻出具を袋部のシートと水密状態に保持して袋部に対して掻出具を進退できるようにし、同掻出具の進退で掻き出された便を袋部に収容するようにした排便器具であって、前記袋部にその一部を開口する開封手段を設け、同開封手段で開封した袋部の開口から袋部に収容した便を外部へ排出できるようにしたことを特徴とする排便器具。
【請求項５】
開封手段が、袋部の外面に袋部を破断する破断開始箇所の切れ目を備えた縁部を形成し、同切れ目で袋部のシートを破断して開封できるようにしたものである請求項１〜４いずれか記載の排便器具。
【請求項６】
開封手段が、袋部のシート裏に紐を固着してその一端部を外部に露出し、同露出した紐の一端部を引張してシートを破断して開封できるようにしたものである請求項１〜４いずれか記載の排便器具。
【請求項７】
開封手段が、袋部を構成するシート部分をシートから分離し、同分離した袋部をシートに吸収パッドを介して脱着自在に且つ水密状に取り付けたものである請求項１〜４いずれか記載の排便器具。
【請求項８】
開封手段が、袋部に環状の溝を形成し、袋部外面の溝部分の内側に把手を設け、同把手を引張して薄肉化した溝によりシートを破断して開封できるようにしたものである請求項１〜４いずれか記載の排便器具。
【請求項９】
開封手段が、袋部に開口を形成し、同開口より拡径の小蓋を水密状且つ剥離可能に溶着し、同小蓋の外面に把手を設け、同把手を引張して小蓋を袋部から剥離させて開封できるようにしたものである請求項１〜４いずれか記載の排便器具。
【請求項１０】
シートの肌面側の外周部に袋部を閉塞する剥離紙付きの閉塞粘着部を設けた請求項１〜９いずれか記載の排便器具。
【請求項１１】
シートの閉塞粘着部の内側に吸収性の拭取パッドを取り付けた請求項１０記載の排便器具。
【請求項１２】
拭取パッドに消毒・消臭・抗菌のいずれかの薬剤を浸漬させた請求項１１記載の排便器具。
【請求項１３】
シートを不透明の材料で構成し、肌面が見えないようにした請求項１〜１２いずれか記載の排便器具。
【発明の詳細な説明】
【技術分野】
【０００１】
本発明は、自力で排便できない人の便を容易な操作で強制的に排出できるようにする排便器具に関する。
【背景技術】
【０００２】
従来、直腸内から便を強制的に排出するには処置者が便を指で掻き出していた。人の指で処置することは被処置者にとって不快であり、処置に時間を要するという問題もあった。そこで、本発明人は破砕刃によって便を徐々に破砕して排出させる排便器具を発明し、実用に供している。ところで、この排便器具を繰り返し使用することは、洗浄等を行なっていても被処置者にとって不快なものであり、排便器具を使い捨てにするとコストが高くなっていた。
【０００３】
これに対し、本発明人はさらに肛門から腸内に挿入できる筒体を先端側から長尺の袋体内に挿入し、袋体の先端部分を筒体内部から外方へ引張する引張部材を設け、肛門から腸内に挿入しながら筒体の先端を便に押し付け、かつ引張部材で袋体を筒体内部へ引き込み、腸内の便を筒体内部の袋体内部へ取り込むようにして、筒体後部から袋体に便を収容した状態で体外に強制的に排出するようにした排便器具を発明した。
【０００４】
この排便器具は容易な操作で強制的に排便でき、器具を使い捨て可能になるようにコストを抑制できるものである。しかしながら、従来までの排便器具は収容した便とともに廃棄して焼却処分されていたが、水分を多量に含んでいるから処分が難しくコストがかかるものであった。本発明はそのような事情に鑑みて成されたものである。
【特許文献１】特開２００３−１５９３２３号公報
【発明の開示】
【発明が解決しようとする課題】
【０００５】
本発明が解決しようとする課題は、従来のこれらの問題点を解消し、処置後、収容した便のみを先に排出して器具を便と分別して処分できるようにした排便器具を提供することにある。
【課題を解決するための手段】
【０００６】
かかる課題を解決した本発明の構成は、
１）  肛門及びその周囲を覆う面積の防水性のシートの肌面側の肛門周囲位置に肛門を囲むように配置される吸収パッドを取り付け、同吸収パッドを肌面に密接させる剥離紙付きの粘着層を設け、吸収パッドで囲まれるシート部分を肌面側と反対側へ大きく膨出させて便を収容する可撓性の袋部を形成し、指を袋部の外側からシートを介して直腸へ挿入して便を掻き出して袋部に収容するようにした排便器具であって、前記袋部にその一部を開口する開封手段を設け、同開封手段で開封した袋部の開口から袋部に収容した便を外部へ排出できるようにしたことを特徴とする排便器具
２）  袋部の中央部に指を挿入する凹所を形成し、指を挿入し易くした前記１）記載の排便器具
３）  肛門及びその周囲を覆う面積の防水性のシートの肌面側の肛門周囲位置に肛門を囲むように配置される吸収パッドを取り付け、同吸収パッドを肌面に密接させる剥離紙付きの粘着層を設け、吸収パッドで囲まれるシート部分を肌面側と反対側へ大きく膨出させて便を収容する可撓性の袋部を形成し、同袋部の中央部に直腸へ挿入して便を掻き出す掻出具を貫通させ、同貫通させた掻出具を袋部のシートと固着して袋部の余裕部分で掻出具を進退できるようにし、同掻出具の進退で掻き出された便を袋部に収容するようにした排便器具であって、前記袋部にその一部を開口する開封手段を設け、同開封手段で開封した袋部の開口から袋部に収容した便を外部へ排出できるようにしたことを特徴とする排便器具
４）  肛門及びその周囲を覆う面積の防水性のシートの肌面側の肛門周囲位置に肛門を囲むように配置される吸収パッドを取り付け、同吸収パッドを肌面に密接させる剥離紙付きの粘着層を設け、吸収パッドに囲まれるシート部分を肌面側と反対側へ大きく膨出させて便を収容する可撓性の袋部を形成し、同袋部の中央部に直腸へ挿入して便を掻き出す掻出具を貫通させ、同貫通させた掻出具を袋部のシートと水密状態に保持して袋部に対して掻出具を進退できるようにし、同掻出具の進退で掻き出された便を袋部に収容するようにした排便器具であって、前記袋部にその一部を開口する開封手段を設け、同開封手段で開封した袋部の開口から袋部に収容した便を外部へ排出できるようにしたことを特徴とする排便器具
５）  開封手段が、袋部の外面に袋部を破断する破断開始箇所の切れ目を備えた縁部を形成し、同切れ目で袋部のシートを破断して開封できるようにしたものである前記１）〜４）いずれか記載の排便器具
６）  開封手段が、袋部のシート裏に紐を固着してその一端部を外部に露出し、同露出した紐の一端部を引張してシートを破断して開封できるようにしたものである前記１）〜４）いずれか記載の排便器具
７）  開封手段が、袋部を構成するシート部分をシートから分離し、同分離した袋部をシートに吸収パッドを介して脱着自在に且つ水密状に取り付けたものである前記１）〜４）いずれか記載の排便器具
８）  開封手段が、袋部に環状の溝を形成し、袋部外面の溝部分の内側に把手を設け、同把手を引張して薄肉化した溝によりシートを破断して開封できるようにしたものである前記１）〜４）いずれか記載の排便器具
９）  開封手段が、袋部に開口を形成し、同開口より拡径の小蓋を水密状且つ剥離可能に溶着し、同小蓋の外面に把手を設け、同把手を引張して小蓋を袋部から剥離させて開封できるようにしたものである前記１）〜４）いずれか記載の排便器具
１０）  シートの肌面側の外周部に袋部を閉塞する剥離紙付きの閉塞粘着部を設けた前記１）〜９）いずれか記載の排便器具
１１）  シートの閉塞粘着部の内側に吸収性の拭取パッドを取り付けた前記１０）記載の排便器具
１２）  拭取パッドに消毒・消臭・抗菌のいずれかの薬剤を浸漬させた前記１１）記載の排便器具
１３）  シートを不透明の材料で構成し、肌面が見えないようにした前記１）〜１２）いずれか記載の排便器具
にある。
【発明の効果】
【０００７】
本発明によれば、開封手段で袋部を開封し、収容した便を袋部から便器等に押し出して先に排出し、その後シートを便と分別して焼却等により処分できるようにしたから、器具の処分を低コストで容易に行えるようになる。
【発明を実施するための最良の形態】
【０００８】
本発明のシートは、ポリエチレン，ポリプロピレン等の可撓性を有する合成樹脂シートなど収容される便及びその臭気が外部へ漏洩しない防水性且つ不透明でしかも廃棄時に環境に影響を与えないものが望ましく、シートは下腹部から臀部へ渡って拡幅して局部を隠蔽できるようにし、被処置者に配慮する。
【０００９】
掻出具は軟質の傘部を備えた弾性を有するプラスチックで構成し、肛門への挿入時の痛みを軽減するとともに腸壁の傷付きを防止する。掻出具の進退は、袋部の貫通部分と固着して袋部を構成するシートの余裕部分又はシートの伸縮性で進退させる方法、袋部の貫通部分と水密状態に保持して袋部に対して進退させる方法があり、シートの材質やコストに応じて任意に選ばれる。
【００１０】
シートの肌面側には拭取パッドを取り付けて、処置後の拭清を行い、別途タオル等の用意を不要にする。拭取パッドには必要に応じて予め消毒・消臭・抗菌のいずれかの薬剤を浸漬しておくとより衛生的に処置できる。また、シートの肌面側の外周部に袋部を閉塞する閉塞粘着部を設けておくと、処置後袋部の口元を容易に閉塞して緊縛等を行うことなく臭気の漏洩を防止した状態で持ち運びができる。以下、本発明の各実施例を図面に基づいて具体的に説明する。
【実施例１】
【００１１】
図１〜６に示す実施例１は、指により掻き出し操作を行なう排便器具の例である。図１は実施例１の排便器具の正面図、図２は図１のＡ−Ａ断面図、図３は実施例１の排便器具の背面図、図４〜６は実施例１の排便器具の使用状態を示す説明図である。図中、１０は排便器具、１１はシート、１１ａは足と密接させる張出部、１２は袋部、１２ａは縁部、１２ｂは切れ目、１３は挿入凹所、１４は粘着層、１４ａは剥離紙、１５は吸収パッド、１６は閉塞粘着部、１６ａは剥離紙、１７は拭取パッド、１８は付着層、Ｂは便、Ｈは直腸、Ｍは指である。
【００１２】
実施例１の排便器具１０は、図１〜３に示すように下腹部から臀部に渡って覆う面積の可撓性を有する着色不透明の防水性のシート１１の肌面側に同シート１１を肛門周囲に脱着自在に密着させる環状の粘着層１４を設け、同シート１１の肛門に位置する部分を密着面と反対側へ膨出させて便Ｂを収容する所定容量の袋部１２を形成し、同袋部１２の中央部に指Ｍをシート１１とともに肛門へ挿入する挿入凹所１３を形成し、シート１１の密着面の肛門周囲位置に環状の吸収パッド１５を取り付け、同吸収パッド１５の外周に環状の閉塞粘着部１６と吸収性の拭取パッド１７を設け、シート１１の肌面側周縁に同シートを下腹部及び臀部に付着させる付着層１８を設け、袋部１２の両側外面に切れ目１２ｂを備えた縁部１２ａを形成している。
【００１３】
まず、被処置者の肛門に必要に応じて潤滑クリーム等を塗布して滑り易くした後、図４（ａ）に示すように肛門周囲の肌面に吸収パッド１５を配置して剥離紙１４ａを剥離した粘着層１４でシート１１を密着し、剥離紙（図示せず）を剥離した付着層１８で下腹部及び臀部にシート１１を付着し、図４（ｂ）に示すように指Ｍを挿入凹所１３を通じてシート１１とともに肛門へ挿入する。指Ｍはシート１１に覆われているから汚れることはなく、指Ｍを奥深く挿入しても袋部１２を構成するシート１１の余裕部分が追随するので破れることもない。
【００１４】
次に、図５（ａ）に示すように指Ｍで直腸Ｈ内の便Ｂを外部へ掻き出し、挿入凹所１３の周囲に案内して袋部１２へ収容する。このとき、シート１１は粘着層１４で密着しているから臭気が外部へ漏洩することがない。これを指Ｍが届く範囲で繰り返して直腸Ｈ内の便Ｂを排出させていく。
【００１５】
便Ｂの排出が終了すると、図５（ｂ）に示すようにシート１１を肛門から脱離し、肛門やその周囲の汚れを拭取パッド１７で拭き取り、剥離紙１６ａを剥離した閉塞粘着部１６で袋部１２の口元を閉塞する。このように、便Ｂの排出操作が容易であり、また極めて簡易な使い捨ての構造であるから低コストで処置できる。
【００１６】
処置後は、図６（ａ）に示すように切れ目１２ｂを挟んだ縁部１２ａの両側を互いに逆方向へ引張して切れ目１２ｂで袋部１２の一部を破断して開封し、図６（ｂ）に示すように収容した便Ｂを押し出して破断箇所から便器等へ排出し、シート１１を焼却等により処分する。このように、排便器具１０は便Ｂと分別して処分されるから、焼却等が低コストで容易に行える。
【実施例２】
【００１７】
図７〜１２に示す実施例２は、掻出具により掻き出し操作を行なう排便器具の例である。図７は実施例２の排便器具の正面図、図８は図７のＡ−Ａ断面図、図９は実施例２の排便器具の背面図、図１０〜１２は実施例２の排便器具の使用状態を示す説明図である。図中、２０は排便器具、２１はシート、２１ａは足と密接させる張出部、２２は袋部、２２ａは縁部、２２ｂは切れ目、２３は掻出具、２３ａは傘部、２３ｂは把持部、２５はシール部、２６は粘着層、２６ａは剥離紙、２７は吸収パッド、２８は閉塞粘着部、２８ａは剥離紙、２９は拭取パッド、３０は付着層である。
【００１８】
実施例２の排便器具２０は、図７〜９に示すように下腹部から臀部に渡って覆う面積の着色不透明の防水性の可撓性を有するシート２１の肌面側に同シート２１を肛門周囲及び腹部・臀部に脱着自在に密着させる環状の粘着層２６を設け、同シート２１の肛門に位置する部分を密着面と反対側へ膨出させて便Ｂを収容する所定容量の袋部２２を形成し、同袋部２２の中央部に軟質の傘部２３ａを先端に備えた細長の掻出具２３をシート２１に貫通させてシール部２５による水密状態で進退自在に設け、シート２１の密着面の肛門周囲位置に環状の吸収パッド２７を取り付け、同吸収パッド２７の外周に環状の閉塞粘着部２８と吸収性の拭取パッド２９を取り付け、シート２１の肌面側周縁に同シート２１を下腹部及び臀部に付着させる付着層３０を設け、袋部２２の両側外面に切れ目２２ｂを備えた縁部２２ａを形成している。
【００１９】
まず、被処置者の肛門に必要に応じて潤滑クリーム等を塗布して滑り易くした後、図１０（ａ）に示すように肛門周囲の肌面に吸収パッド２７を配置して剥離紙２６ａを剥離した粘着層２６でシート２１を密着し、剥離紙（図示せず）を剥離した付着層３０で下腹部及び臀部にシート２１を付着し、図１０（ｂ）に示すように把持部２３ｂを把持して掻出具２３を肛門へ挿入する。掻出具２３はシール部２５によりシールした状態が保持されるので、便Ｂや臭気が外部へ漏洩することがない。
【００２０】
次に、図１１（ａ）に示すように掻出具２３の傘部２３ａで直腸Ｈ内の便Ｂを外部へ掻き出し、シール部２５の周囲に案内して袋部２２へ収容する。このとき、シート２１は粘着層２６で密着しているから臭気が外部へ漏洩することがない。これを掻出具２３の傘部２３ａが届く範囲で繰り返して直腸Ｈ内の便Ｂを排出させていく。
【００２１】
便Ｂの排出が終了すると、図１１（ｂ）に示すように掻出具２３を退避後シート２１を肛門から脱離し、肛門やその周囲の汚れを拭取パッド２９で拭き取り、剥離紙２８ａを剥離した閉塞粘着部２８で袋部２２の口元を閉塞する。このように、便Ｂの排出操作が容易であり、また極めて簡易な使い捨ての構造であるから低コストで処置できる。
【００２２】
処置後は、図１２（ａ）に示すように切れ目２２ｂを挟んだ縁部２２ａの両側を互いに逆方向へ引張して切れ目２２ｂで袋部２２の一部を破断して開封し、図１２（ｂ）に示すように収容した便Ｂを押し出して破断箇所から便器等へ排出し、シート２１を焼却等により処分する。このように、排便器具２０は便Ｂと分別して処分されるから、焼却等が低コストで容易に行える。
【００２３】
図１３に示すのは実施例２の排便器具の他の例である。図１３は実施例２の他の例の排便器具の断面図である。図中、２４は固着部である。実施例２の他の例の排便器具２０は、掻出具２３の途中をシート２１の貫通させた箇所と固着している。図９に示すように使用時において、掻出具２３を進退すると袋部２２を構成するシート２１がその余裕部分で進退するので掻き出しを阻害することがなく、操作性は何ら変わらないものである。この例はシール部２５を省略できるから、より低コストに製造できるものである。その他、符号、構成は実施例２と同じである。
【００２４】
図１４に示すのは実施例１の袋部の開封手段の他の例である。図１４は実施例１の他の例の排便器具の使用状態を示す説明図である。図中、１２ｃは紐である。図１４（ａ）に示す排便器具の袋部１２には所定長さの紐１２ｃをシートの内側に沿って固着し、その一端部を貫通させて外側へ露出させている。便Ｂを収容後、図１４（ｂ）に示すように紐１２ｃの露出部分を引張して袋部１２のシートが破断し、収容した便Ｂを押し出して排出する。その他、符号、構成は実施例１と同じである。
【００２５】
図１５に示すのは実施例１の袋部の開封手段の他の例である。図１５は実施例１の他の例の排便器具の断面図である。図中、１２ｄは面ファスナ、１２ｅは吸収パッドである。図１５に示す排便器具の袋部１２は本体のシート１１と分離しており、環状の吸収パッド１２ｅを介して面ファスナ１２ｄで水密状且つ脱着自在に取り付けている。便Ｂを収容後は袋部１２の口元部分を絞った状態でシート１１から脱離し、内部の便Ｂを押し出して排出する。その他、符号、構成は実施例１と同じである。
【００２６】
図１６に示すのは実施例１の袋部の開封手段の他の例である。図１６は実施例１の他の例の排便器具の使用状態を示す説明図である。図中、１２ｆは蓋、１２ｇは溝、１２ｈは把手、１２ｉは連結部である。図１６（ａ）に示す排便器具の袋部１２には裏側に環状の溝１２ｇを形成して内側を蓋１２ｆとし、袋部１２の外面の溝１２ｇの位置に把手１２ｈを固着している。便Ｂを収容後、図１６（ｂ）に示すように把手１２ｈを引張すると、薄肉化した溝１２ｇによりシートが破断して蓋１２ｆが開放され、収容した便Ｂを押し出して排出する。その他、符号、構成は実施例１と同じである。
【００２７】
図１７に示すのは実施例１の袋部の開封手段の他の例である。図１７は実施例１の他の例の排便器具の使用状態を示す説明図である。図中、１２ｊは小蓋、１２ｋは溶着部、１２ｍは把手、１２ｎは開口、１２ｐは連結部である。図１７（ａ）に示す排便器具の袋部１２には開口１２ｎを形成してその径より拡径した同素材の小蓋１２ｊを水密状且つ剥離可能に溶着し、小蓋１２ｊの外面に把手１２ｍを固着している。便Ｂを収容後、図１７（ｂ）に示すように把手１２ｍを引張すると、溶着部１２ｋが剥離して小蓋１２ｊが開放され、収容した便Ｂを押し出して排出する。その他、符号、構成は実施例１と同じである。
【産業上の利用可能性】
【００２８】
本発明の排便器具は、お年寄り，患者，身障者等自力で排便できない人の処置に用いられる。
【図面の簡単な説明】
【００２９】
【図１】実施例１の排便器具の正面図である。
【図２】図１のＡ−Ａ断面図である。
【図３】実施例１の排便器具の背面図である。
【図４】実施例１の排便器具の使用状態を示す説明図である。
【図５】実施例１の排便器具の使用状態を示す説明図である。
【図６】実施例１の排便器具の使用状態を示す説明図である。
【図７】実施例２の排便器具の正面図である。
【図８】図７のＡ−Ａ断面図である。
【図９】実施例２の排便器具の背面図である。
【図１０】実施例２の排便器具の使用状態を示す説明図である。
【図１１】実施例２の排便器具の使用状態を示す説明図である。
【図１２】実施例２の排便器具の使用状態を示す説明図である。
【図１３】実施例２の他の例の排便器具の断面図である。
【図１４】実施例１の他の例の排便器具の使用状態を示す説明図である。
【図１５】実施例１の他の例の排便器具の断面図である。
【図１６】実施例１の他の例の排便器具の使用状態を示す説明図である。
【図１７】実施例１の他の例の排便器具の使用状態を示す説明図である。
【符号の説明】
【００３０】
１０  排便器具
１１  シート
１１ａ  張出部
１２  袋部
１２ａ  縁部
１２ｂ  切れ目
１２ｃ  紐
１２ｄ  面ファスナ
１２ｅ  吸収パッド
１２ｆ  蓋
１２ｇ  溝
１２ｈ  把手
１２ｉ  連結部
１２ｊ  小蓋
１２ｋ  溶着部
１２ｍ  把手
１２ｎ  開口
１２ｐ  連結部
１３  挿入凹所
１４  粘着層
１４ａ  剥離紙
１５  吸収パッド
１６  閉塞粘着部
１６ａ  剥離紙
１７  拭取パッド
１８  付着層
２０  排便器具
２１  シート
２１ａ  張出部
２２  袋部
２２ａ  縁部
２２ｂ  切れ目
２３  掻出具
２３ａ  傘部
２３ｂ  把持部
２４  固着部
２５  シール部
２６  粘着層
２６ａ  剥離紙
２７  吸収パッド
２８  閉塞粘着部
２８ａ  剥離紙
２９  拭取パッド
３０  付着層
Ｂ  便
Ｈ  直腸
Ｍ  指
【図１】
2006158576.tif 000003
【図２】
2006158576.tif 000004
【図３】
2006158576.tif 000005
【図４】
2006158576.tif 000006
【図５】
2006158576.tif 000007
【図６】
2006158576.tif 000008
【図７】
2006158576.tif 000009
【図８】
2006158576.tif 000010
【図９】
2006158576.tif 000011
【図１０】
2006158576.tif 000012
【図１１】
2006158576.tif 000013
【図１２】
2006158576.tif 000014
【図１３】
2006158576.tif 000015
【図１４】
2006158576.tif 000016
【図１５】
2006158576.tif 000017
【図１６】
2006158576.tif 000018
【図１７】
2006158576.tif 000019